(57)【要約】【課題】加飾部分が容器本体や蓋体から部分的にでも剥がれたり、また脱落したりすることがないという要請に応えることができ、かつまた購買者が好みに応じて外観を選ぶことができる自由度を高めることが可能な化粧料容器を提供する。【解決手段】蓋体６の外面６ａに、これを覆って交換可能に設けられる交換用カバー７と、蓋体６の外面６ａ側から窪ませて形成された第１の溝２４と、第１の溝２４内部に形成された凸状リブ２６と、交換用カバー７に形成され、第１の溝２４内に挿入されて凸状リブ２６に係脱自在に係合される可撓変形自在な弾性片１８と、蓋体６の内面６ｂ側から窪ませて第１の溝２４に連通させて形成され、第１の溝２４内部で凸状リブ２６に係合している弾性片１８を可撓変形させて凸状リブ２６から離脱させるべく、当該弾性片１８に操作力を加えるための第２の溝２５とを備えた。【選択図】          図１
2004222932.tif 000002
【特許請求の範囲】
【請求項１】
容器本体とこれを開閉する蓋体とを有する化粧料容器において、
上記蓋体および上記容器本体の少なくともいずれか一方の外面に、これらを覆って交換可能に設けられる交換用カバーと、上記蓋体もしくは上記容器本体の外面側から窪ませて形成された第１の溝と、該第１の溝内部に形成された係合部と、上記交換用カバーに形成され、上記第１の溝内に挿入されて上記係合部に係脱自在に係合される可撓変形自在な被係合部と、上記蓋体もしくは上記容器本体の内面側から窪ませて上記第１の溝に連通させて形成され、該第１の溝内部で上記係合部に係合している上記被係合部を可撓変形させて該係合部から離脱させるべく、該被係合部に操作力を加えるための第２の溝とを備えたことを特徴とする化粧料容器。
【発明の詳細な説明】
【０００１】
【発明の属する技術分野】
本発明は、加飾部分が容器本体や蓋体から部分的にでも剥がれたり、また脱落したりすることがないという要請に応えることができ、かつまた購買者が好みに応じて外観を選ぶことができる自由度を高めることが可能な化粧料容器に関する。
【０００２】
【従来の技術】
一般に化粧料容器は、化粧料を収納する容器本体と、この容器本体を開いたり閉じたりする蓋体とを備えて構成されている。そして化粧料容器の外観をなすこれら容器本体や蓋体に対しては、そのデザイン性を高めるために、従来からさまざまな方法によって加飾が施されている。例えば、スパッタリングなどによって表面処理を行ったり、転写シートを用いて文字や模様などを転写したり、あるいは模様などを付した上に透明・半透明の層を重ねたりするなどして、容器本体や蓋体に装飾を施すようにしていた。
【０００３】
なお、本願出願人は、関連する先行出願として、特願２００１−４９０００、特願２００２−２８０３４０、特願２００２−３０４６８２、特願２００２−３０４６８３、特願２００２−３２１８７３、特願２００２−３２１８７４を出願している。
【０００４】
【発明が解決しようとする課題】
ところで、従来の化粧料容器にあっては、製品としての化粧料容器を高級感溢れる高い品質で提供するという目的で、加飾部分が容器本体や蓋体から部分的にでも剥がれたり、また脱落したりすることがないように、上記いずれの加飾方法にあっても、容器本体や蓋体に対し加飾部分が一体不可分となるように互いに分離不能に一体的に形成しなければならないという要請があった。
【０００５】
このような要請は反面、化粧料容器の外観が生産者の選定したデザインに限定されることを意味し、購買者が化粧料容器の意匠的外観を、好みに応じて自由に選べるようにすることを妨げていた。このため、購買者は気に入ったデザインの化粧料容器を見つけることができず、これが買い控えの一因になっていたと考えられる。
【０００６】
本発明は上記従来の課題に鑑みて創案されたものであって、加飾部分が容器本体や蓋体から部分的にでも剥がれたり、また脱落したりすることがないという要請に応えることができ、かつまた購買者が好みに応じて外観を選ぶことができる自由度を高めることが可能な化粧料容器を提供することを目的とする。
【０００７】
【課題を解決するための手段】
本発明にかかる化粧料容器は、容器本体とこれを開閉する蓋体とを有する化粧料容器において、上記蓋体および上記容器本体の少なくともいずれか一方の外面に、これらを覆って交換可能に設けられる交換用カバーと、上記蓋体もしくは上記容器本体の外面側から窪ませて形成された第１の溝と、該第１の溝内部に形成された係合部と、上記交換用カバーに形成され、上記第１の溝内に挿入されて上記係合部に係脱自在に係合される可撓変形自在な被係合部と、上記蓋体もしくは上記容器本体の内面側から窪ませて上記第１の溝に連通させて形成され、該第１の溝内部で上記係合部に係合している上記被係合部を可撓変形させて該係合部から離脱させるべく、該被係合部に操作力を加えるための第２の溝とを備えたことを特徴とする。
【０００８】
これにより、加飾部分が容器本体や蓋体から部分的にでも剥がれたり、また脱落したりすることがないという要請に応えることができ、かつまた購買者が好みに応じて外観を選ぶことができる自由度を高めることが可能となる。また被係合部に操作力を加えるための第２の溝を、蓋体や容器本体の内面側から窪ませて形成していて、化粧料容器の外観を良好なものとし得る。さらに、係合部と被係合部とを第１の溝内部で係合させるようにしていて、交換用カバーが蓋体や容器本体から不用意に外れてしまうことを適切に防止することが可能となる。
【０００９】
【発明の実施の形態】
以下に、本発明にかかる化粧料容器の好適な一実施形態を、添付図面を参照して詳細に説明する。本実施形態にかかる化粧料容器１は図１〜図５に示すように、収納凹部２が形成された皿状の合成樹脂製容器本体３と、容器本体３の前後方向後端にヒンジ４を介して上下方向へ回動自在に連結されて容器本体３を開閉するとともに、容器本体３の前端にフック５を介して係脱自在に係合されて当該容器本体３の閉止状態を維持する板体状の合成樹脂製の蓋体６と、蓋体６に着脱自在に設けられ、交換可能に蓋体６の外面６ａを覆う板体状の合成樹脂製の交換用カバー７とから主に構成される。
【００１０】
交換用カバー７の材質は合成樹脂製に限らず、金属製であってもよい。また、交換用カバー７は容器本体３を覆って設けられてもよく、また蓋体６および容器本体３の双方に設けられてもよい。図示例にあっては、これら容器本体３、蓋体６、並びに交換用カバー７は平面外形輪郭が矩形状に形成されるけれども、多角形状や円形状であってもよい。蓋体６の内面６ｂには、鏡８が取り付けられている。
【００１１】
フック５は、容器本体３の前端に形成された凹所９内に突設されたフック用突起１０と、蓋体６の前端から垂下されてフック用突起１０に係脱自在に係合されるフック片１１とから構成される。またヒンジ４は、フック５とは反対側において容器本体３の後端から一対突設されたヒンジ片１２間に、蓋体６の後端から垂下させたヒンジブロック１３が挟み込まれ、これらヒンジブロック１３からヒンジ片１２にわたって形成したピン穴１４にヒンジピン（図示せず）が挿入されることで構成され、ヒンジブロック１３はヒンジピンを介してヒンジ片１２に対し回動自在に連結される。
【００１２】
交換用カバー７は、化粧料容器１、本実施形態にあっては蓋体６の意匠的外観を購買者が好みに応じて自由に選べるように、各種のさまざまな加飾が施されたものが用意されるようになっている。これら交換用カバー７に施される加飾部分は、部分的にでも剥がれたり、また脱落したりすることがないように、交換用カバー７に対し一般周知の方法によって一体不可分に分離不能に一体的に形成される。
【００１３】
これら交換用カバー７は、その外形輪郭が容器本体３の外形輪郭と一致するようにほぼ同じ外形寸法で形成されるとともに、この交換用カバー７が取り付けられる蓋体６は、取り付け代を確保するためにこれらよりも若干小さな外形寸法で形成され、交換用カバー７はこの蓋体６の上にこれを覆って重ね合わされる。
【００１４】
交換用カバー７には、その外周縁から蓋体６側に垂下させて環状の垂下部１５が形成される。フック５側に位置する垂下部１５には、容器本体３の左右幅方向に適宜間隔を隔てて、交換用カバー７の下面７ａ側へ折り返すことで係合突部１６が形成され、この係合突部１６によって角付けされた入隅部１７が形成される。また、交換用カバー７の下面７ａには、ヒンジブロック１３直上位置から下方へ突出させて、水平方向に可撓変形自在な被係合部としての弾性片１８が設けられる。この弾性片１８の下端には、これより蓋体６の前後方向前方へ突出させて係止突起１９が形成され、この係止突起１９によって、弾性片１８には角付けされた入隅部２０が形成される。
【００１５】
他方、蓋体６には、その外周壁６ｃから外方へ突出させて、交換用カバー７の垂下部１５が載置される環状のフランジ部２１が形成される。またフック５側に位置する外周壁６ａにはこれを窪ませることで、交換用カバー７の係合突部１６を挿抜自在に挿入するための係合凹部２２が形成され、この係合凹部２２によって、角付けされた出隅部２３が形成される。そして、交換用カバー７を蓋体６のフック５側から装着して係合突部１６を係合凹部２２に差し込むことにより、入隅部１７が出隅部２３に対して上下方向へは離脱不能に、かつ水平方向へは係脱自在に係合されるようになっている。
【００１６】
また、蓋体６にはその外面６ａ側からヒンジブロック１３へわたって上下方向に窪ませて、弾性片１８が挿抜自在に挿入される第１の溝２４が形成される。また、ヒンジブロック１３には、鏡８に面する、すなわち蓋体６の外面６ａとは反対側の蓋体６の内面６ｂ側からほぼ水平方向へ窪ませて、第１の溝２４と連通される第２の溝２５が形成され、これら第１の溝２４および第２の溝２５によりヒンジブロック１３には、Ｌ字状の通孔が形成される。
【００１７】
第１の溝２４内部には、その内面から蓋体６の前後方向後方へ弾性片１８の係止突起１９に向かって突出させて係合部としての凸状リブ２６が形成され、この凸状リブ２６により、角付けされた入隅部２０に向かい合う出隅部２７が形成される。そしてこの出隅部２７は、第１の溝２４内に挿入された弾性片１８の係止突起１９が凸状リブ２６下に係止されることにより、入隅部２０と上下方向に離脱不能にかつ水平方向に係脱自在に係合される。
【００１８】
第２の溝２５は、第１の溝２４内部で凸状リブ２６に係合している弾性片１８の係止突起１９を離脱させるべく、弾性片１８を可撓変形させる水平方向の操作力を加えるために備えられ、係止突起１９が達する位置において、当該第１の溝２４と連通される。そしてこの第２の溝２５には、弾性片１８に操作力を加えるためのコインなどの押圧操作具Ｐが挿入され、挿入した押圧操作具Ｐによって弾性片１８を水平方向に変形させることができるようになっている。
【００１９】
さらに、係止突起１９および凸状リブ２６にあっては図２に示すように、係止突起１９が凸状リブ２６を乗り越える過程で互いに向かい合う面が、その乗り越えをスムーズにするためにテーパ面２８，２９で形成される。そしてまた、係止突起１９のテーパ面２９と第２の溝２５の内面との間には図３に示すように、交換用カバー７を蓋体６から離隔させるべく、弾性片１８を第１の溝２４に沿って押圧するために、第２の溝２５の奥に向かって、すなわち押圧操作具Ｐの挿入方向に沿って順次狭められ、押圧操作具Ｐが差し入れられることによりその操作力の一部を押圧力に変換するくさび状の隙間Ｇが形成される。
【００２０】
本実施形態にかかる化粧料容器１の作用について説明すると、化粧料容器１を購入した購買者が蓋体６に装着されている交換用カバー７を、他のデザインの新たな交換用カバー７に交換する際には、蓋体６を回動させて容器本体３を開き、図３に示すように蓋体６の内面６ｂに現れた第２の溝２５内へ、係止突起１９に向かって押圧操作具Ｐを挿入する。
【００２１】
押圧操作具Ｐで係止突起１９を押圧操作すると図４に示すように、弾性片１８が第１の溝２４内で水平方向に可撓変形され、この可撓変形に伴って係止突起１９が凸状リブ２６から離脱されて、蓋体６に対する交換用カバー７の係止状態が解除されるとともに、これと同時に、くさび状隙間Ｇに差し込まれた押圧操作具Ｐが弾性片１８を第１の溝２４に沿って下方へ押し下げる作用も発揮し、これら係止突起１９および凸状リブ２６の係合解除と、弾性片１８の押し下げとによって交換用カバー７は、図５に示すように蓋体６から跳ね出されるようにして分離される。
【００２２】
その後は、交換用カバー７を蓋体６の水平方向前方へ押し出せば、係合突部１６を係合凹部２２から離脱させることができ、これにより交換用カバー７を蓋体６から取り外すことができる。
【００２３】
次いで、新たな交換用カバー７を蓋体６に装着する際には、蓋体６前端側において係合突部１６を係合凹部２２に差し入れて係合させる一方で、蓋体６後端側においては、弾性片１８を第１の溝２４内に挿入してそのまま交換用カバー７を蓋体６に向かって押し付ければ、弾性片１８の可撓変形を伴って係止突起１９が凸状リブ２６を乗り越えると同時に入隅部２０が出隅部２７と係合し、これにより新しい交換用カバー７を蓋体６に重ね合わせて取り付けることができる。
【００２４】
以上説明したように本実施形態にかかる化粧料容器１にあっては、蓋体６の外面６ａにこれを覆って交換可能に設けられる交換用カバー７と、蓋体６の外面６ａ側から窪ませて形成された第１の溝２４と、第１の溝２４内部に形成された凸状リブ２６と、交換用カバー７に形成され、第１の溝２４内に挿入されて凸状リブ２６に係脱自在に係合される可撓変形自在な弾性片１８と、蓋体６の内面６ｂ側から窪ませて、第１の溝２４に連通させて形成され、第１の溝２４内部で凸状リブ２６に係合している弾性片１８を可撓変形させて凸状リブ２６から離脱させるべく、当該弾性片１８に操作力を加えるための第２の溝２５とを備えたので、化粧料容器１の外観が生産者の選定したデザインに限定されることがなく、化粧料容器１として、購買者が好みに応じて外観を自由度高く選ぶことができ、これにより購買意欲を高め得るものとすることができる。
【００２５】
また、交換用カバー７としては、従来の蓋体などと同様に、加飾部分を一体不可分に互いに分離不能に一体的に形成すればよく、従って加飾部分が交換用カバー７から部分的にでも剥がれたり、また脱落したりすることがなくて、製品としての化粧料容器１を、従来と遜色のない高級感溢れる高い品質で提供することができる。また、弾性片１８に操作力を加えるための第２の溝２５を、蓋体６の内面６ｂ側から窪ませて形成したので、化粧料容器１の外観を凹凸のない良好なものとすることができる。
【００２６】
また、弾性片１８の係止突起１９と第２の溝２５との間に、交換用カバー７を蓋体６から離隔させる方向へ押圧するために、操作力の一部を押圧力に変換するくさび状隙間Ｇを形成したので、交換用カバー７を取り外す際には、このくさび状隙間Ｇを利用した弾性片１８の押圧によって、交換用カバー７を蓋体６に対して跳ね出させることができ、これにより使用者は、交換用カバー７が蓋体６から離脱したことを知得できるとともに、交換用カバー７が蓋体６から浮き上がった状態となるので、これら両者が重ね合わされている場合よりも、容易に交換用カバー７を蓋体６から取り外すことができる。
【００２７】
また、係合突部１６と係合凹部２２、並びに係止突起１９と凸状リブ２６、特に可撓変形される弾性片１８の係止突起１９とこれに係合する凸状リブ２６とを、上下方向には離脱不能に角付けされた入隅部１７，２０と出隅部２３，２７とで係脱自在に係合したことにより、交換用カバー７を蓋体６にしっかりと取り付け固定することができ、落下などによって化粧料容器１に大きな衝撃が加わったとしても、これによって交換用カバー７が蓋体６から簡単に脱落することを確実に防止することができる。
【００２８】
このように交換用カバー７を蓋体６に安定的保持できる一方で、蓋体６に対する交換用カバー７の押し付け操作や、弾性片１８を可撓変形させる第２の溝２５からの操作によって係止突起１９と凸状リブ２６とを容易に係脱させることができ、簡単に交換用カバー７の交換を行うことができる。
【００２９】
また、係止突起１９のテーパ面２９は、凸状リブ２６との係止を円滑化する機能も併せ持ち、交換用カバー７の装着操作を円滑化することができる。さらに、ヒンジブロック１３を利用して、これに第１の溝２４および第２の溝２５を形成するようにしていて、交換用カバー７の交換操作のために化粧料容器１の外形寸法が大きくなってしまうことを防止することができる。
【００３０】
上述した本実施形態にあっては、蓋体６に交換可能にこれを覆う交換用カバー７を着脱自在に設ける場合を例にとって説明したが、容器本体３に交換用カバー７を設けるようにしても良い。この場合、交換用カバー７については上記実施形態と同様に構成すれば良く、他方、第１の溝２４は容器本体３の外面から、そして第２の溝２５は収納凹部２側から形成するようにすればよい。
【００３１】
本実施形態にあっては、ヒンジ４やフック５を備えた化粧料容器１を例示して説明したが、これに限らず、容器本体３に対してネジ構造や径嵌合構造によって蓋体６を着脱するタイプの各種容器に適用してもよいことはもちろんである。
【００３２】
【発明の効果】
以上要するに、本発明にかかる化粧料容器にあっては、加飾部分が容器本体や蓋体から部分的にでも剥がれたり、また脱落したりすることがないという要請に応えることができ、かつまた購買者が好みに応じて外観を選ぶことができる自由度を高めることができる。
【図面の簡単な説明】
【図１】本発明にかかる化粧料容器の好適な一実施形態を示す側断面図である。
【図２】図１の化粧料容器の一部分解斜視断面図である。
【図３】図１の化粧料容器において、交換用カバーを取り外す最初の段階を示すヒンジブロック周辺の部分拡大側断面図である。
【図４】図１の化粧料容器において、交換用カバーを取り外す途中の段階を示すヒンジブロック周辺の部分拡大側断面図である。
【図５】図１の化粧料容器において、交換用カバーを取り外す最後の段階を示すヒンジブロック周辺の部分拡大側断面図である。
【符号の説明】
１  化粧料容器                      ３  容器本体
６  蓋体                            ６ａ  蓋体の外面
６ｂ  蓋体の内面                    ７  交換用カバー
１８  弾性片                        ２４  第１の溝
２５  第２の溝                      ２６  凸状リブ
【図１】
2004222932.tif 000003
【図２】
2004222932.tif 000004
【図３】
2004222932.tif 000005
【図４】
2004222932.tif 000006
【図５】
2004222932.tif 000007